(57)【要約】【課題】標準のＵＳＢインタフェースと、ＭｉｎｉＵＳＢインタフェースのダブルインタフェースを具えた記憶装置を提供する。【解決手段】標準のＵＳＢインタフェースと、ＭｉｎｉＵＳＢインタフェースとを並列して、ＵＳＢコントロールチップに電気的に接続し、更に単一、もしくは複数のフラッシュメモリチップと該ＵＳＢコントロールチップとを電気的に接続する。【選択図】図１
0003117690.tif 000002
【実用新案登録請求の範囲】
【請求項１】
一方が標準のＵＳＢインタフェースであって、他方がＭｉｎｉ  ＵＳＢインタフェースであるＵＳＢダブルインタフェースを具えることを特徴とするＵＳＢダブルインタフェースを具える記憶装置。
【請求項２】
前記標準のＵＳＢインタフェースと、該Ｍｉｎｉ  ＵＳＢインタフェースとがＵＳＢコントロールチップを介して、単一、もしくは複数のフラッシュメモリチップに電気的に接続し、且つ該ＵＳＢコントロールチップによって、データの読み書き、消去を制御することを特徴とする請求項１に記載のＵＳＢダブルインタフェースを具える記憶装置。
【請求項３】
前記標準のＵＳＢインタフェースと、該Ｍｉｎｉ  ＵＳＢインタフェースとを並列して、該ＵＳＢコントロールチップに電気的に接続することを特徴とする請求項１に記載のＵＳＢダブルインタフェースを具える記憶装置。
【請求項４】
前記標準のＵＳＢインタフェースと該Ｍｉｎｉ  インタフェースとが、それぞれ記憶装置の両端に設けられることを特徴とする請求項１に記載のＵＳＢダブルインタフェースを具える記憶装置。
【請求項５】
前記標準のＵＳＢインタフェースと該Ｍｉｎｉ  インタフェースとが、それぞれ記憶装置の同一端に設けられることを特徴とする請求項１に記載のＵＳＢダブルインタフェースを具える記憶装置。
【請求項６】
前記標準のＵＳＢインタフェースと該Ｍｉｎｉ  インタフェースとが、それぞれ記憶装置の同一側端に設けられることを特徴とする請求項１に記載のＵＳＢダブルインタフェースを具える記憶装置。
【請求項７】
前記標準のＵＳＢインタフェースと該Ｍｉｎｉ  インタフェースとが、それぞれ記憶装置の異なる側端に設けられることを特徴とする請求項１に記載のＵＳＢダブルインタフェースを具える記憶装置。
【考案の詳細な説明】
【技術分野】
【０００１】
この考案は記憶装置に関し、特にデータの読み書きに供するＵＳＢダブルインタフェースを具えるフラッシュディスクなどの記憶装置に関する。
【背景技術】
【０００２】
科学技術の発展に伴い、パーソナルコンピュータ、ＭＰ３プレーヤー、ディジタルカメラ、ディジタルビデオレコーダ等のマルチメディアに関する電子製品が普及している。また、これらマルチメディアに関する電子製品に対応して、ディジタルデータを保存する装置のニーズも増えている。これらデータ保存装置は適用する電子製品の違いにより異なる規格とサイズを具える。
【０００３】
目下、ＵＳＢインタフェースは、コンピュータ、及び周辺デバイスの標準的なインタフェースになりつつある。ＵＳＢインタフェースを具える記憶装置は随所で用いられている。ＵＳＢインタフェースはプラグアンドプレイ、ホットスワップ等の特性を具える。よって、ユーザーにとってデバイスドライバを重複してインストールする必要がないため、使用上便利である。しかも、これら保存装置は外観がスリム化され軽量であるため、携帯に便利であるという特徴を具える。また、これら保存装置はフラッシュメモリを利用して大容量を達成し、データの読み書きに供する。よって、従来の外部接続ハードディスク等の体積の大きな記憶装置、もしくはフロッピー（登録商標）ディスクなどのその他容量の小さい記憶装置に取って代わろうとしている。
【０００４】
図３に、従来の単一の伝送インタフェースを具える記憶装置１００を開示する。係る記憶装置は、標準のＵＳＢインタフェース２００を具える。よって、単一規格のみにインタフェースに対応してデータの伝送を行う。即ち、その他形式、もしくは規格のインタフェースに適応することができない。このため、使用上不便な場合がある。
【０００５】
そこで、ＵＳＢインタフェースとＣＦ伝送インタフェース（５０ｐｉｎのＣＦカード）とを組み合わせ、ダブルインタフェースとしての機能を達成し、データの保存に供する技術が開発された。
【０００６】
台湾実用新案公告第５７２２８４号は、メモリカードの改良構造を提供するものであり、また台湾実用新案公告第５５１５５２号は、ダブルインタフェースを具えるＣＦカードを提供するものである。但し、これら実用新案によれば、ＣＦインタフェースは、やはりＣＦカードのみを特定して使用するだけであって、目下有しているＵＳＢインタフェースに適用できるものではない。よって、理想の域にまで達しているとは言えない。
【０００７】
目下、コンピュータの周辺デバイスに内蔵されるＵＳＢインタフェースには、１．１、２．０等の標準のバージョン以外に、Ｍｉｎｉ  ＵＳＢ等のシリーズもある。しかしながら、ディジタルデータを保存する記憶装置は通常１種類の伝送インタフェースしか具えていない。このため、規格が合わず使用できないといった問題が発生する。
【非特許文献１】台湾実用新案公告第５７２２８４号
【非特許文献２】台湾実用新案公告第５５１５５２号
【考案の開示】
【考案が解決しようとする課題】
【０００８】
この考案は標準のＵＳＢインタフェースと、Ｍｉｎｉ  ＵＳＢインタフェースのダブルインタフェースを具えた記憶装置を提供することを課題とする。
【課題を解決するための手段】
【０００９】
そこで、本考案者は従来の技術に見られる欠点に鑑み鋭意研究を重ねた結果、一方が標準のＵＳＢインタフェースであって、他方がＭｉｎｉ  ＵＳＢインタフェースであるＵＳＢダブルインタフェースを具えることを特徴とするＵＳＢダブルインタフェースを具えてなる記憶装置によって課題を解決できる点に着眼し、かかる知見に基づいて本発明を完成させた。
【００１０】
以下、この考案について具体的に説明する。
請求項１に記載するＵＳＢダブルインタフェースを具える記憶装置は、ＵＳＢダブルインタフェースを具え、一方が標準のＵＳＢインタフェースであって、他方がＭｉｎｉ  ＵＳＢインタフェースである。
【００１１】
請求項２に記載するＵＳＢダブルインタフェースを具える記憶装置は、請求項１における標準のＵＳＢインタフェースと、該Ｍｉｎｉ  ＵＳＢインタフェースとがＵＳＢコントロールチップを介して、単一、もしくは複数のフラッシュメモリチップに電気的に接続し、且つ該ＵＳＢコントロールチップによって、データの読み書き、消去を制御する。
【００１２】
請求項３に記載するＵＳＢダブルインタフェースを具える記憶装置は、請求項１における標準のＵＳＢインタフェースと、該Ｍｉｎｉ  ＵＳＢインタフェースとを並列して、該ＵＳＢコントロールチップに電気的に接続する。
【００１３】
請求項４に記載するＵＳＢダブルインタフェースを具える記憶装置は、請求項１における標準のＵＳＢインタフェースと該Ｍｉｎｉ  インタフェースとが、それぞれ記憶装置の両端に設けられる。
【００１４】
請求項５に記載するＵＳＢダブルインタフェースを具える記憶装置は、請求項１における標準のＵＳＢインタフェースと該Ｍｉｎｉ  インタフェースとが、それぞれ記憶装置の同一端に設けられる。
【００１５】
請求項６に記載するＵＳＢダブルインタフェースを具える記憶装置は、請求項１における標準のＵＳＢインタフェースと該Ｍｉｎｉ  インタフェースとが、それぞれ記憶装置の同一側端に設けられる。
【００１６】
請求項７に記載するＵＳＢダブルインタフェースを具える記憶装置は、請求項１における標準のＵＳＢインタフェースと該Ｍｉｎｉ  インタフェースとが、それぞれ記憶装置の異なる側端に設けられる。
【考案の効果】
【００１７】
本考案の記憶装置は、標準のＵＳＢインタフェースと、Ｍｉｎｉ  ＵＳＢインタフェースのダブルインタフェースを具えるため、異なる規格のＵＳＢインタフェースを具えるコンピュータ、周辺デバイスに使用する場合に適し、実用的であるといった利点を具える。
【考案を実施するための最良の形態】
【００１８】
図１は、この考案による記憶装置のデータ読み書きの動作を示したフローチャートであって、図２にはこの考案による記憶装置の外観を示した斜視図である。図面によれば、記憶装置１は標準のＵＳＢインタフェース２とＭｉｎｉ  ＵＳＢインタフェース３の２種類のインタフェースを具える。この２種類のＵＳＢインタフェースは、ＵＳＢコントロールチップ４を介して、単一、もしくは複数のフラッシュメモリチップ５に電気的に接続する。フラッシュメモリチップは不揮発性で、且つ書き込んだデータを容易に消去できるという特性を有する。よって、大量のデータを高速で保存することができ、また、ショートムービー、ディジタルアルバム、ＭＰ３方式による音楽、またはゲームのデータなどの各種フォーマットのファイルを高速で読み取ることができる。この場合、ＵＳＢコントロールチップ４によって記憶媒体に保存したデータのアクセス、消去を制御する。
【００１９】
この考案においては、標準のＵＳＢインタフェース２と、Ｍｉｎｉ  ＵＳＢインタフェース３とを並列して、ＵＳＢコントロールチップ４に電気的に接続する。よって、一方のインタフェースが破損して、他方のインタフェースが使用できなくなるといった状況が発生しない。
【００２０】
標準のＵＳＢインタフェース２と、Ｍｉｎｉ  ＵＳＢインタフェース３のダブルインタフェースを具えることは、目下普及しているデスクトップ、もしくはノートブックタイプを含むパーソナルコンピュータ、及び周辺デバイスに装備されているインタフェースのニーズに適うものである。また、各種のプラットホームと互換性を有する。更にはＵＳＢインタフェースがプラグアンドプレイ、ホットスワップといった特性を有する。従って、ユーザーにとって極めて便利である。
【００２１】
図２に開示するように、この考案による記憶装置１は、両端にそれぞれ標準のＵＳＢインタフェース２と、Ｍｉｎｉ  ＵＳＢインタフェース３を設けてなる。標準のＵＳＢインタフェース２と、Ｍｉｎｉ  ＵＳＢインタフェース３は、同一側端に設けてもよい。また、前後端のみならず、左右端、同一端に設ける等、位置を変更してもよい。これらインタフェースの配置に係る修正は、いずれもこの考案の実施の範囲に含まれるものとする。即ち、図面に開示する実施の形態はこの考案の好ましい実施例であって、この考案の実施の範囲を限定するものではない。また、インタフェースを配置する位置の修正を含め、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００２２】
【図１】この考案による記憶装置の動作を示したフローチャートである。
【図２】この考案における記憶装置の外観を示した斜視図である。
【図３】従来の技術による記憶装置の外観を示した斜視図である。
【符号の説明】
【００２３】
１          記憶装置
１００      記憶装置
２          ＵＳＢインタフェース
２００      ＵＳＢインタフェース
３          Ｍｉｎｉ  ＵＳＢインタフェース
４          ＵＳＢコントロールチップ
５          フラッシュメモリチップ
【図１】
0003117690.tif 000003
【図２】
0003117690.tif 000004
【図３】
0003117690.tif 000005